(57)【要約】【課題】簡単な入力操作で家計簿の機能を利用できる、主として高齢者向けの電卓型家計簿を実現する。【解決手段】支払った金額を入力するための押しボタン数字キー群１１と、押しボタン数字キー群１１によって入力された金額について、どの部門に所属させるか選択するための押しボタン部門キー群１２とを設け、これらによって、入力された金額と選択された部門名とを対応付けて、時刻情報と共に記憶する。押しボタン数字キー群１１を構成する各キートップのサイズよりも押しボタン部門キー群１２を構成する各キートップのサイズを大とする。このような構成にすれば、入力操作が簡単であり、主として高齢者向けの電卓型家計簿を実現できる。また、押しボタン部門キー群１１を構成する各キートップと、その近傍の表示位置との少なくとも一方に、部門名を示す情報を付加すれば、金額と共に入力すべき部門を容易に選択して入力できる。【選択図】図５
2007188146.tif 000002
【特許請求の範囲】
【請求項１】
携帯型の家計簿電卓であって、支払った金額を入力するための押しボタン数字キー群と、前記押しボタン数字キー群によって入力された金額について、どの部門に所属させるか選択するための押しボタン部門キー群と、前記押しボタン数字キー群によって入力された金額と前記押しボタン部門キー群によって選択された部門名とを対応付けて、入力された時刻を示す時刻情報と共に記憶する記憶手段とを含み、前記押しボタン数字キー群を構成する各キートップのサイズよりも前記押しボタン部門キー群を構成する各キートップのサイズを大としたことを特徴とする家計簿電卓。
【請求項２】
前記押しボタン部門キー群を構成する各キートップと、その近傍との少なくとも一方に、部門名を示す情報が付加されていることを特徴とする請求項１記載の家計簿電卓。
【請求項３】
前記記憶手段に記憶された内容を読出し、前記部門別及び前記時刻情報による時刻順の、すくなくとも一方の形式で提示するプレビュー手段を更に含むことを特徴とする請求項１又は２記載の家計簿電卓。
【発明の詳細な説明】
【技術分野】
【０００１】
本発明は家計簿電卓に関し、特に物品購入等に使った金銭の額を容易に入力でき、集計、表示などを行うことのできる家計簿電卓に関する。
【背景技術】
【０００２】
我が国は高齢化社会へと変化しているため、高齢者に操作しやすい家計簿システムの実現が望まれている。
従来の家計簿システムとしては、例えば、特許文献１に記載されている携帯家計簿システムがある。これは、携帯電話機などに、家計簿ソフトウェアを搭載し、そのソフトウェアを実行させることで家計簿の機能を実現するものである。
【０００３】
また、特許文献２では、イメージスキャナなどでレシートを読込むことで、家計簿作成のためのデータ入力を容易に行っている。
さらに、特許文献３には、タッチパネル操作によって入力を行う電子式家計簿が開示されている。
【特許文献１】特開２００２−２１５８８９号公報
【特許文献２】特開２００１−３２５２３５号公報
【特許文献３】特開平８−１６１２６９号公報
【発明の開示】
【発明が解決しようとする課題】
【０００４】
上述した特許文献１による家計簿システムは、携帯電話機を利用しているので、操作が簡単ではなく、高齢者などの使用に適していないという問題がある。また、特許文献２では、イメージスキャナでレシートを読み込んでおり、その読み込み操作が簡単ではなく、やはり高齢者などの使用に適していないという問題がある。さらに、特許文献３では、タッチパネル入力を採用しているので、不必要な部分に触れて誤入力してしまうおそれがあり、これも高齢者などの使用に適していないという問題がある。
本発明は上述した従来の問題点を解決するためになされたものであり、その目的は押しボタン入力等の簡単な入力操作で家計簿の機能を利用できる、主として高齢者向けの電卓型家計簿を提供することである。
【課題を解決するための手段】
【０００５】
本発明の請求項１による家計簿電卓は、携帯型の家計簿電卓であって、支払った金額を入力するための押しボタン数字キー群と、前記押しボタン数字キー群によって入力された金額について、どの部門に所属させるか選択するための押しボタン部門キー群と、前記押しボタン数字キー群によって入力された金額と前記押しボタン部門キー群によって選択された部門名とを対応付けて、入力された時刻を示す時刻情報と共に記憶する記憶手段とを含み、前記押しボタン数字キー群を構成する各キートップのサイズよりも前記押しボタン部門キー群を構成する各キートップのサイズを大としたことを特徴とする。このような構成を採用すれば、入力操作が簡単であり、主として高齢者向けの電卓型家計簿を実現できる。
【０００６】
本発明の請求項２による家計簿電卓は、請求項１において、前記押しボタン部門キー群を構成する各キートップと、その近傍との少なくとも一方に、部門名を示す情報が付加されていることを特徴とする。このような構成を採用すれば、金額と共に入力すべき部門を容易に選択して入力できる。
本発明の請求項３による家計簿電卓は、請求項１又は２において、前記記憶手段に記憶された内容を読出し、前記部門別及び前記時刻情報による時刻順の、すくなくとも一方の形式で提示するプレビュー手段を更に含むことを特徴とする。このような構成を採用すれば、記憶されている家計簿データの内容を容易に確認することができる。
【発明の効果】
【０００７】
本発明によれば、支払った金額を入力するための押しボタン数字キー群と、この押しボタン数字キー群によって入力された金額について、どの部門に所属させるか選択するための押しボタン部門キー群とを用いて入力操作が簡単な構成を採用しているので、主として高齢者向けの電卓型家計簿を実現できるという効果がある。
【発明を実施するための最良の形態】
【０００８】
以下、本発明の実施の形態を、図面を参照して説明する。なお、以下の説明において参照する各図では、他の図と同等部分は同一符号によって示されている。
（機能構成例）
図１は、本発明による家計簿電卓の機能的な構成の例を示すブロック図である。同図において、本例の家計簿電卓は、金額等の数値を入力するための数字キー群１１と、数字キー群１１によって入力した数値を所属させるべき部門名を指定するための部門キー群１２と、その他のキー群１３と、数値と部門名とを対応付けてタイムスタンプデータ（すなわち入力された時刻を示す時刻情報）と共に記憶するための記憶部１４と、処理中のデータを一時記憶するための一時記憶部１５と、数値や部門名、時刻等を表示するための表示部１６と、四則演算等の電卓機能を実現するための電卓部１７と、タイムスタンプデータを出力するための時計部１８と、外部機器と接続するためのインタフェース部１９と、上記の各部を制御するための制御部２０とを含んで構成されている。
【０００９】
インタフェース部１９には、着脱可能な周知のメモリカードのスロットを設けても良い。そして、このスロットに装着されているメモリカードに記憶部１４の記憶内容と同じ内容を記憶させ、その後にメモリカードをスロットから取り外せば、データを簡単に移動できる。このようにデータを移動させれば、パーソナルコンピュータ等を利用して、データの編集や印刷等を行うことができる。このスロットに限定されず、ＵＳＢ（Universal Serial Bus）仕様のケーブル等を着脱可能なコネクタをインタフェース部１９に設けておけば、パーソナルコンピュータ等と接続することができ、データを容易に受け渡すことができる。
【００１０】
（データファイル形式の例）
図２は、図１中の記憶部１４に記憶されるデータファイル形式の例を示すデータ構造図である。同図を参照すると、データファイルは、部門キー群１２に属する部門キーと一対一に対応する部門コード２１と、その部門に登録される金額を示す数値データ２２と、それらが記憶された時刻を示すタイムスタンプデータ２３とを含んで構成されている。このように、部門名を示す情報、及び、金額を示す情報を、時刻を示す情報と共に、対応付けて記憶部１４に記憶しておき、これを読み出してプレビュー表示することになる。
【００１１】
（外観構成例）
図３は、本発明による家計簿電卓の外観構成の例を示す上面図である。同図を参照すると、数字キー群１１は、四則演算を行うための「＋」、「−」、「×」、「÷」、「＝」の他、正負の符号を変換するための「＋／−」、百分率を算出するための「％」、消費税込みの金額に変換するための「税込み」、消費税抜きの金額に変換するための「税抜き」、メモリー機能のための「ＭＲＣ」、「Ｍ−」及び「Ｍ＋」の各キーから構成されている。また、表示部１６に表示されるカーソルを移動させるための「→」キーも設けられている。その他、スライドスイッチＳＳをスライド操作することによって、後述するように、電卓／家計簿操作が可能な「電卓家計簿」モード、家計簿表示／修正／削除操作が可能な「家計簿表示」モード、時計設定が可能な「時計設定」モード、の各動作モードを選択できるようになっている。
【００１２】
また、部門キー群１２は、１部門から８部門までの８個のキーから構成されている。本例では、「１部門」が「交通費」、「２部門」が「食堂」、「３部門」が「食費」、「４部門」が「雑費」、「５部門」が「書籍」、「６部門」が「衣料」、「７部門」が「交際費」、「８部門」が「その他」にそれぞれ対応している。ここで、押しボタン数字キー群１１を構成する各キートップのサイズよりも押しボタン部門キー群１２を構成する各キートップのサイズの方が大である。このような押しボタンのキートップを採用すれば、入力操作が簡単であり、しかも後述するようにキートップ表面にラベルを貼付することができるので、主として高齢者向けの電卓型家計簿を実現できる。
【００１３】
その他のキー群１３は、金額を追加したり修正したりするための「追加」、「金額修正」の各キー、表示画面の内容を上下のスクロールさせるための「△」及び「▽」の各キー、登録されている金額を日付毎に集計するための「日次集計」のキー、登録されている金額を部門毎に集計するための「部門集計」のキー、集計を解除するための「集計解除」のキーから構成されている。
【００１４】
（テンプレートシート、ラベル）
図４（ａ）は簡易部門用テンプレートシートの構成例を示す図である。同図において、テンプレートシートは例えば透明樹脂によって構成する。このテンプレートシートには、８個の矩形孔４０ａ〜４０ｈが設けられている。これらの矩形孔の大きさは、部門キー群の各部門キーのキートップの大きさよりわずかに大きい。そして、各部門キーの配置に対応する位置に矩形孔４０ａ〜４０ｈが設けられている。このため、各部門キーのキートップ部分を矩形孔４０ａ〜４０ｈから突出させた状態で、テンプレートシートを電卓の表面に載置すれば、そのシート表面に設けられている表示位置４１ａ〜４１ｈと各キートップとが対応付けられた位置関係になる。このため、表示位置４１ａ〜４１ｈに、部門名を示すラベルを貼付することにより、各部門キーと部門名とを対応付けることができる。この簡易部門用テンプレートシートを装着した状態が図５に示されている。
【００１５】
同図（ｂ）は簡易部門テンプレート用ラベルの構成例を示す図である。同図には、剥離台紙表面に貼付されている２８枚の矩形ラベルが示されている。これらのラベルには裏側に糊が設けられている。また、本例では、８枚のラベルに、「交通費」、「食堂」、「食費」、「雑費」、「書籍」、「衣料」、「交際費」、「その他」とそれぞれ表示されている。これら矩形ラベルの大きさは、部門キー群の各部門キーのキートップの大きさと同じか、わずかに小さい。そして、これらラベルを剥離台紙から剥がし、部門キー群の対応する部門キーのキートップ又はその近傍の表示位置に貼付する。これらラベルを貼付しておくことにより、各部門キーに対応する部門名を目視確認できるので、金額を部門に対応付ける入力操作が容易になる。
【００１６】
なお、押しボタン部門キー群を構成する各キートップと、その近傍の表示位置との少なくとも一方に、部門名を示す情報をラベル等で付加すれば、金額と共に入力すべき部門を容易に選択して入力できる。つまり、各キートップと、その近傍の表示位置との両方に部門名を示す情報を付加しても良いし、いずれか一方のみに付加しても良い。
【００１７】
（電卓／家計簿操作）
次に、電卓／家計簿操作モードについて説明する。
図６は、本例の電卓を、電卓や家計簿として機能させる場合の動作を示すフローチャートである。同図において、数字キー群や電卓機能を利用して金額を表示させる（ステップＳ５０１）。この状態において、その金額を登録する部門に対応する部門キーが押下されると（ステップＳ５０２）、簡易部門マスタデータから部門コードが読み取られる（ステップＳ５０３）。すると、部門コードデータが一時記憶部に保存されると共に、部門名が取得されて表示される（ステップＳ５０４）。
【００１８】
次に、決定キーが押下されると（ステップＳ５０５）、時計部からタイムスタンプデータを取得する（ステップＳ５０６）。そして、金額が部門別にタイムスタンプデータと共に記憶部に書込まれる（ステップＳ５０７）。また、部門別に集計が行われ、部門別の集計データが記憶部に書込まれる（ステップＳ５０８）。
以上のように、支払った金額を入力するための押しボタン数字キー群と、この押しボタン数字キー群によって入力された金額について、どの部門に所属させて記憶させるか選択するための押しボタン部門キー群とを用いた構成であるため、入力操作が簡単である。
【００１９】
（家計簿表示／修正／削除操作）
次に、家計簿表示／修正／削除操作モードについて説明する。
図７〜図９は、記憶部に記憶されているデータを読み出して表示部に表示させることによって、本電卓の使用者にデータを提示する動作を示すフローチャートである。
図７において、部門キーが押下されると（ステップＳ６０１）、簡易部門名が一時記憶部に保存されると共に（ステップＳ６０２）、部門コードが読取られる（ステップＳ６０３）。すると、部門コードデータが一時記憶部に保存されると共に、部門名が取得されて表示される（ステップＳ６０４）。そして、表示指定された部門コードが一時記憶部に保存され（ステップＳ６０５）、金額を示すデータが部門別に表示される（ステップＳ６０６）。
【００２０】
また、同図において、部門キーではなく、オールクリアキーが押下されると（ステップＳ６０７）、表示指定された部門コードが一時記憶部からクリアされると共に（ステップＳ６０８）、部門コードデータも一時記憶部からクリアされる（ステップＳ６０９）。これにより、部門コード、部門名、金額の画面表示がクリアされる（ステップＳ６１０）。そして、部門別の表示内容がクリアされる（ステップＳ６１１）。
【００２１】
ここで、表示画面の内容を上下のスクロールさせるための「△」及び「▽」の各キーが押下された場合（ステップＳ６１２、Ｓ６１４）の処理については、図８を参照して説明する（ステップＳ６１３、Ｓ６１５）。また、修正キーが押下された場合（ステップＳ６１６）及び削除キーが押下された場合（ステップＳ６１８）の処理については、図９を参照して説明する（ステップＳ６１７、Ｓ６１９）。
【００２２】
なお、日次集計キー又は部門集計キーが押下された場合（ステップＳ６２０）、日時順又は部門別に集計金額が表示される（ステップＳ６２１）。必ずしも日次集計キー、部門集計キーの両方を設ける必要はなく、少なくとも一方を設ければ、集計金額を表示させてその内容を確認することができる。すなわち、本例の家計簿電卓は、記憶部に記憶された内容を読出し、部門別及び時刻情報による時刻順の、すくなくとも一方の形式で提示するプレビュー機能を有している。
【００２３】
（スクロール処理）
図８において、部門キーが押下され（ステップＳ７０１）、「△」キーが押下された場合（ステップＳ７０２）、部門別の表示を行うのであれば、その部門の先頭ファイル（すなわちトップレコード）であるか判断される（ステップＳ７０３→Ｓ７０４）。先頭ファイルであれば、処理はステップＳ７０１に戻る（ステップＳ７０４→Ｓ７０１）。
【００２４】
先頭ファイルでなければ、指定された部門の前のファイル（すなわち前レコード）が検索され（ステップＳ７０４→Ｓ７０５）、それが存在すればそのデータの内容が取得されて表示される（ステップＳ７０６→Ｓ７０７）。一方、それが存在しなければ処理はステップＳ７０１に戻る（ステップＳ７０６→Ｓ７０１）。
ステップＳ７０３において、部門別の表示を行うのでなければ、先頭ファイル（すなわちトップレコード）であるか判断される（ステップＳ７０３→Ｓ７０８）。先頭ファイルであれば、処理はステップＳ７０１に戻る（ステップＳ７０８→Ｓ７０１）。
【００２５】
先頭ファイルでなければ、指定された部門の前のファイル（すなわち前レコード）が検索され（ステップＳ７０８→Ｓ７０９）、それが存在すればそのデータの内容が取得されて表示される（ステップＳ７１０→Ｓ７１１）。一方、それが存在しなければ処理はステップＳ７０１に戻る（ステップＳ７１０→Ｓ７０１）。
また、「▽」キーが押下された場合（ステップＳ７１２）、部門別の表示を行うのであれば、その部門の最後のファイル（すなわちボトムレコード）であるか判断される（ステップＳ７１３→Ｓ７１４）。最後のファイルであれば、処理はステップＳ７０１に戻る（ステップＳ７０４→Ｓ７０１）。
【００２６】
最後のファイルでなければ、指定された部門の次のファイル（すなわち次レコード）が検索され（ステップＳ７１４→Ｓ７１５）、それが存在すればそのデータの内容が取得されて表示される（ステップＳ７１６→Ｓ７１７）。一方、それが存在しなければ処理はステップＳ７０１に戻る（ステップＳ７１６→Ｓ７０１）。
ステップＳ７１３において、部門別の表示を行うのでなければ、最後のファイル（すなわちボトムレコード）であるか判断される（ステップＳ７１３→Ｓ７１８）。最後のファイルであれば、処理はステップＳ７０１に戻る（ステップＳ７１８→Ｓ７０１）。
最後のファイルでなければ、指定された部門の次のファイル（すなわち次レコード）が検索され（ステップＳ７１８→Ｓ７１９）、それが存在すればそのデータの内容が取得されて表示される（ステップＳ７２０→Ｓ７２１）。一方、それが存在しなければ処理はステップＳ７０１に戻る（ステップＳ７２０→Ｓ７０１）。
【００２７】
（修正、削除処理）
図９において、部門キーや「△」キー、「▽」キーではなく、削除キーが押下された場合（ステップＳ８０１→Ｓ８０２）、表示データがあるか判断される（ステップＳ８０３）。表示データが無い場合、ステップＳ８０１に戻る（ステップＳ８０３→Ｓ８０１）。
表示データがある場合に、決定ボタンが押下されると（ステップＳ８０３→Ｓ８０４）、部門別入力データが記憶部から削除される（ステップＳ８０５）。また、部門別集計データの値が減算更新される（ステップＳ８０６）。その後、下側にスクロールする処理が行われる（ステップＳ８０７）。
【００２８】
また、修正キーが押下された場合（ステップＳ８０１→Ｓ８０２→Ｓ８０３）、表示データがあるか判断される（ステップＳ８０９）。表示データが無い場合、ステップＳ８０１に戻る（ステップＳ８０９→Ｓ８０１）。
表示データがある場合に、数字キー群や電卓機能を利用して金額が入力され、決定ボタンが押下されると（ステップＳ８０９→Ｓ８１０→Ｓ８１１）、部門別入力データが記憶部に書込まれ（ステップＳ８１２）、データの内容が修正される。また、部門別集計データの値が加算更新される（ステップＳ８１３）。
【００２９】
（時計設定）
次に、時計設定モードについて説明する。
図１０は、図１中の時計部１８において、時刻を設定するための処理の例を示すフローチャートである。同図において、現在の「年」の入力（ステップＳ９０１）、現在の「月」の入力（ステップＳ９０３）、現在の「日」の入力（ステップＳ９０５）、現在の「時」の入力（ステップＳ９０７）、現在の「分」の入力（ステップＳ９０９）が順次入力され、決定ボタンが押下されると（ステップＳ９０２、Ｓ９０４、Ｓ９０６、Ｓ９０８、Ｓ９１０）、「秒」を「００」として時計部に登録される（ステップＳ９１１→Ｓ９１２）。以後は、時間の経過に応じて、時計部からタイムスタンプデータが出力される。
【００３０】
（まとめ）
以上説明したように、押しボタン数字キー群を構成する各キートップのサイズよりも押しボタン部門キー群を構成する各キートップのサイズを大とする構成を採用すれば、入力操作が簡単であり、主として高齢者向けの電卓型家計簿を実現できる。
また、押しボタン部門キー群を構成する各キートップと、その近傍との少なくとも一方に、部門名を示す情報を付加すれば、金額と共に入力すべき部門を容易に選択して入力できる。
さらに、記憶された内容を読出し、部門別及び時刻情報による時刻順の、すくなくとも一方の形式で提示する構成を採用すれば、記憶されている家計簿データの内容を容易に確認することができる。
【産業上の利用可能性】
【００３１】
本発明は物品購入等に使った金銭の額を入力し、集計、表示などを行う場合に利用できる。
【図面の簡単な説明】
【００３２】
【図１】本発明による家計簿電卓の機能的な構成の例を示すブロック図である。
【図２】図１中の記憶部に記憶されるデータファイル形式の例を示すデータ構造図である。
【図３】本発明による家計簿電卓の外観構成の例を示す上面図である。
【図４】（ａ）は簡易部門用テンプレートシートの構成例を示す、（ｂ）は簡易部門テンプレート用ラベルの構成例を示す図である。
【図５】簡易部門用テンプレートシートを装着した状態を示す図である。
【図６】電卓や家計簿として機能させる場合の動作を示すフローチャートである。
【図７】家計簿表示／修正／削除操作を実現するための動作の一部を示すフローチャートである。
【図８】家計簿表示／修正／削除操作を実現するための動作の一部を示すフローチャートである。
【図９】家計簿表示／修正／削除操作を実現するための動作の一部を示すフローチャートである。
【図１０】図１中の時計部において、時刻を設定するための処理の例を示すフローチャートである。
【符号の説明】
【００３３】
１１  数字キー群
１２  部門キー群
１３  キー群
１４  記憶部
１５  一時記憶部
１６  表示部
１７  電卓部
１８  時計部
１９  インタフェース部
２０  制御部
２１  部門コード
２２  数値データ
２３  タイムスタンプデータ
４０ａ〜４０ｈ  矩形孔
４１ａ〜４１ｈ  表示位置
ＳＳ  スライドスイッチ
【図１】
2007188146.tif 000003
【図２】
2007188146.tif 000004
【図３】
2007188146.tif 000005
【図４】
2007188146.tif 000006
【図５】
2007188146.tif 000007
【図６】
2007188146.tif 000008
【図７】
2007188146.tif 000009
【図８】
2007188146.tif 000010
【図９】
2007188146.tif 000011
【図１０】
2007188146.tif 000012